(57)【要約】【課題】災害発生時に、エレベータの利用者に十分な情報を提供し、利用者の円滑な避難を可能にするタッチパネル操作盤を提供する。【解決手段】一実施形態に係るタッチパネル操作盤は、エレベータのカゴを操作する。タッチパネル操作盤は、表示可能な画面として、操作画面と、災害用画面と、を有する。操作画面は、通常運行時に表示される。災害用画面は、災害発生時に表示される。タッチパネル操作盤は、災害が発生すると、操作画面から災害用画面に自動的に切り替わる。【選択図】図３
2017109830.tif 000002
【特許請求の範囲】
【請求項１】
エレベータのカゴを操作するタッチパネル操作盤であって、
表示可能な画面として、通常運行時に表示される操作画面と、災害発生時に表示される災害用画面と、を有し、
災害が発生すると、前記操作画面から前記災害用画面に自動的に切り替わる
タッチパネル操作盤。
【請求項２】
前記災害用画面には、災害情報を表示する災害情報画面と、避難経路を表示する避難経路画面と、避難場所を表示する避難経路画面と、の少なくとも１つが含まれる
請求項１に記載のタッチパネル操作盤。
【請求項３】
建物の火災検知システムと連動する
請求項１又は請求項２に記載のタッチパネル操作盤。
【請求項４】
画面の切り替え、画面の操作方法、及び避難時の注意事項の少なくとも１つをアナウンスするスピーカを備える
請求項１乃至請求項３のいずれか１項に記載のタッチパネル操作盤。
【請求項５】
前記カゴ内に設置され、
表示可能な画面として、前記乗客の閉じ込めの発生時に表示され、問診表を表示する問診表画面を有する
請求項１乃至請求項４のいずれか１項に記載のタッチパネル操作盤。
【発明の詳細な説明】
【技術分野】
【０００１】
本発明の実施形態は、タッチパネル操作盤に関する。
【背景技術】
【０００２】
カゴを操作するための操作釦と、所定の情報を表示する表示部と、を備えたエレベータの操作盤が知られている。このような操作盤として、従来、火災や地震などの災害の発生時に、災害が発生した旨、避難時の注意喚起、及びエレベータが使用できなくなる旨などを、表示部に表示するものが提案されている。しかしながら、上記従来の操作盤では、表示部に表示可能な内容が限られていたため、エレベータの利用者に十分な情報を提供することが困難であった。
【先行技術文献】
【特許文献】
【０００３】
【特許文献１】特開２０１３−５２９６８号公報
【発明の概要】
【発明が解決しようとする課題】
【０００４】
災害発生時に、エレベータの利用者に十分な情報を提供し、利用者の円滑な避難を可能にするタッチパネル操作盤を提供する。
【課題を解決するための手段】
【０００５】
一実施形態に係るタッチパネル操作盤は、エレベータのカゴを操作する。タッチパネル操作盤は、表示可能な画面として、操作画面と、災害用画面と、を有する。操作画面は、通常運行時に表示される。災害用画面は、災害発生時に表示される。タッチパネル操作盤は、災害が発生すると、操作画面から災害用画面に自動的に切り替わる。
【図面の簡単な説明】
【０００６】
【図１】第１実施形態に係るタッチパネル操作盤を備えたカゴの室内を示す図。
【図２】操作画面の一例を示す図。
【図３】図１のタッチパネル操作盤の動作を示すフローチャート。
【図４】火災用画面の一例を示す図。
【図５】火災用画面の一例を示す図。
【図６】地震用画面の一例を示す図。
【図７】地震用画面の一例を示す図。
【図８】地震用画面の一例を示す図。
【図９】第２実施形態に係るタッチパネル操作盤の一例を示す図。
【図１０】スピーカによるアナウンスの一例を説明するフローチャート。
【図１１】スピーカによるアナウンスの一例を説明するフローチャート。
【図１２】スピーカによるアナウンスの一例を説明するフローチャート。
【図１３】問診票画面の一例を示す図。
【図１４】第３実施形態に係るタッチパネル操作盤の動作を示すフローチャート。
【発明を実施するための形態】
【０００７】
以下、本発明の実施形態について図面を参照して説明する。
【０００８】
（第１実施形態）
第１実施形態に係るタッチパネル操作盤１について、図１〜図８を参照して説明する。本実施形態に係るタッチパネル操作盤１は、タッチパネルにより構成された、エレベータの操作盤である。以下では、本実施形態に係るタッチパネル操作盤１を、カゴ内に設置されたカゴ操作盤に適用した場合を例に説明する。図１は、タッチパネル操作盤１を備えたカゴ２の室内を示す図である。図１に示すように、タッチパネル操作盤１は、カゴ２の側板に設置される。カゴ２の乗客は、タッチパネル操作盤１を操作することにより、カゴ２を操作する。
【０００９】
タッチパネル操作盤１は、表示可能な複数の画面を有する。表示可能な画面には、操作画面と、災害用画面と、が含まれる。
【００１０】
操作画面とは、乗客がカゴ２を操作するための画面である。操作画面は、カゴ２の通常運行時に表示される。
【００１１】
図２は、タッチパネル操作盤１に表示される操作画面の一例を示す図である。図２の操作画面には、戸開釦１０１と、戸閉釦１０２と、各階床の行先階釦１０３と、各階床のフロア情報１０４と、非常呼び釦１０５と、が表示されている。
【００１２】
戸開釦１０１は、カゴ２を戸開するための釦である。戸閉釦１０２は、カゴ２を戸閉するための釦である。行先階釦１０３は、その階床を行先階として登録するための釦である。フロア情報１０４は、各階床に関する情報である。図２の例では、フロア情報１０４として、各階床に存在する店舗が表示されている。非常呼び釦１０５は、カゴ２の乗客が外部と連絡するための釦である。
【００１３】
カゴ２の乗客は、図２のような操作画面に表示された各釦に触れることにより、カゴ２を操作することができる。なお、操作画面は、図２の例に限られず、カゴ２の現在の位置（階床）の昇降方向などが表示されてもよい。
【００１４】
災害用画面とは、災害発生時に、乗客に所定の情報を提供するための画面である。災害用画面は、災害発生時に表示される。ここでいう災害には、火災、地震、洪水、噴火、テロなど、任意の自然災害や人為的災害が含まれる。
【００１５】
タッチパネル操作盤１は、１種類の災害に対応する災害用画面を表示可能であってもよいし、複数種類の災害に対応する災害用画面を表示可能であってもよい。また、ある災害に対応する災害用画面には、表示可能な複数の画面が含まれてもよい。災害用画面には、例えば、災害情報画面、避難経路画面、及び避難場所画面の少なくとも１つが含まれる。
【００１６】
災害情報画面とは、発生した災害に関する情報である災害情報を表示する画面である。災害情報には、発生した災害の種類、場所、及び規模などの情報が含まれる。災害情報画面には、上記のような災害情報と共に、現在の運転モードが非常運転モードであること、が表示されてもよい。
【００１７】
避難経路画面とは、カゴ２からの避難経路を表示する画面である。避難経路画面には、避難経路が、地図やテキストの形式で表示される。
【００１８】
避難場所画面とは、カゴ２の近隣の避難場所を表示する画面である。避難場所画面には、避難場所が、地図やテキストの形式で表示される。
【００１９】
なお、災害用画面は、上記の画面に限られない。災害用画面には、乗客の円滑な避難を支援するための任意の情報を表示する画面が含まれ得る。
【００２０】
また、災害用画面として表示可能な画面が複数存在する場合には、各画面は、所定の時間間隔（例えば、１０秒間隔）で自動的に切り替えられるのが好ましい。これにより、各画面の情報を、乗客の操作に依存せずに、乗客に提供することができる。
【００２１】
また、災害用画面として表示可能な画面が複数存在する場合には、災害用画面として表示される各画面には、他の画面に切り替えるための切り替え釦が表示されるのが好ましい。これにより、乗客は、切り替え釦に触れることにより、所望の情報を得ることができる。
【００２２】
図３は、カゴ２の通常運行中に災害が発生した場合のタッチパネル操作盤１の動作を示すフローチャートである。タッチパネル操作盤１は、図３に示す処理を、通常運行中に所定の時間間隔で繰り返す。図３の処理の開始時点において、タッチパネル操作盤１は、図２のような操作画面を表示しているものとする。以下では、タッチパネル操作盤１が、火災に対応する災害用画面（以下、「火災用画面」という）と、地震に対応する災害用画面（以下、「地震用画面」という）と、を表示可能な場合を例に説明する。
【００２３】
まず、タッチパネル操作盤１は、火災が発生したか否か確認する（ステップＳ１）。本実施形態において、タッチパネル操作盤１は、エレベータが設置された建物の火災を検知する火災検知器と連動する。火災検知器は、火災の発生を検知すると、カゴ２の運行を制御する制御盤を介して、火災が発生した旨と、検知した火災に関する火災情報と、をタッチパネル操作盤１に通知する。火災検知器は、建物に設置された火災検知システムであってもよいし、エレベータに設置された煙感知器などであってもよい。
【００２４】
火災の発生を通知されると（ステップＳ１のＹＥＳ）、タッチパネル操作盤１は、火災用画面を表示する（ステップＳ２）。すなわち、タッチパネル操作盤１は、表示中の操作画面を、火災用画面に切り替える。以下では、火災用画面には、災害情報画面と、避難経路画面と、が含まれるものとする。
【００２５】
図４及び図５は、タッチパネル操作盤１に表示される火災用画面の一例を示す図である。図４は災害情報画面であり、図５は避難経路画面である。
【００２６】
図４の災害情報画面には、非常呼び釦１０５と、切り替え釦１０６と、災害情報１０７と、出入口情報１０８と、が表示されている。非常呼び釦１０５は、カゴ２の乗客が外部と連絡するための釦である。
【００２７】
図４の切り替え釦１０６（避難経路表示）は、タッチパネル操作盤１に表示される画面を、災害情報画面から避難経路画面に切り替えるための釦である。カゴ２の乗客は、切り替え釦１０６に触れることにより、災害情報画面から経路避難画面に切り替えることができる。
【００２８】
災害情報１０７は、制御盤から通知された火災情報に基づいて表示される。図４の例では、災害情報として、火災が発生したこと及び火災が発生した階床（場所）が表示されている。火災が発生した階床は、他の部分と色を変えて表示してもよい。これにより、視認性を高め、火災が発生した階床を乗客が認識しやすくすることができる。
【００２９】
出入口情報１０８は、出入口が存在する階床を示す情報である。図４の例では、出入口は、１階に存在する。
【００３０】
なお、災害情報画面には、上記の他にも、例えば、現在の位置（階床）、昇降方向、避難階（到着予定階）、避難階までの所要時間など、任意の情報を表示することができる。例えば、図４の例では、階床の色を他の階床の色と変えることにより、現在の位置（２階）が表示されている。
【００３１】
図５の避難経路画面には、切り替え釦１０６と、避難経路１０９と、が表示されている。
【００３２】
図５の切り替え釦１０６（火災情報表示）は、タッチパネル操作盤１に表示される画面を、避難経路画面から災害情報画面に切り替えるための釦である。カゴ２の乗客は、切り替え釦１０６に触れることにより、避難経路画面から災害情報画面に切り替えることができる。
【００３３】
図５の例では、避難経路１０９は、地図及びテキストにより示されている。タッチパネル操作盤１は、予め記憶した避難経路を、避難経路１０９として表示すればよい。
【００３４】
避難経路１０９は、避難階の乗場から非常階段までの経路であってもよいし、避難階の乗場から建物の出口までの経路であってもよいし、避難階の乗場から避難場所までの経路であってもよい。また、避難経路画面には、これらの各避難経路１０９が切り替え可能に表示されてもよい。
【００３５】
また、避難経路画面に表示される避難経路１０９は、乗客の操作により、拡大及び縮小が可能であるのが好ましい。避難経路１０９の拡大及び縮小は、乗客による所定のジェスチャ（タップ、ダブルタップ、ピンチイン、及びピンチアウトなど）により行われてもよいし、避難経路１０９と共に表示された拡大釦及び縮小釦を乗客が触れることにより行われてもよい。避難経路１０９を拡大可能とすることにより、目の不自由な乗客でも避難経路１０９を容易に確認することができる。
【００３６】
また、図５の避難経路画面には、読み取ることにより避難経路１０９を表示可能な、二次元バーコードが表示されている。乗客は、自身の携帯端末でこの二次元バーコードを読み取ることにより、携帯端末上で避難経路１０９を確認しながら避難することができる。二次元バーコードとして、例えば、ＱＲコード（登録商標）を利用できる。
【００３７】
タッチパネル操作盤１は、操作画面を火災用画面（図４の災害情報画面又は図５の避難経路画面）に切り替えた後、所定の時間間隔（例えば、１０秒間隔）で、災害情報画面及び避難経路画面の間で、画面を切り替える（ステップＳ５）。乗客が切り替え釦１０６に触れた場合には、タッチパネル操作盤１は、乗客の操作に従って、画面を切り替える。以降、タッチパネル操作盤１は、通常運行が再開されるまで、火災用画面の表示を継続する。
【００３８】
一方、火災の発生を通知されていない場合（ステップＳ１のＮＯ）、タッチパネル操作盤１は、地震が発生したか確認する（ステップＳ３）。本実施形態において、タッチパネル操作盤１は、地震を検知する地震検知器と連動する。地震検知器は、地震の発生を検知すると、カゴ２の運行を制御する制御盤を介して、地震が発生した旨と、検知した地震に関する地震情報と、をタッチパネル操作盤１に通知する。地震検知器は、建物に設置された地震検知システムであってもよいし、エレベータに設置された地震検知器であってもよい。また、タッチパネル操作盤１は、地震検知器の代わりに、インターネットを介して制御盤と接続された、地震情報提供サービスから地震の発生及び地震情報を通知されてもよい。
【００３９】
地震の発生を通知されると（ステップＳ３のＹＥＳ）、タッチパネル操作盤１は、地震用画面を表示する（ステップＳ４）。すなわち、タッチパネル操作盤１は、表示中の操作画面を、地震用画面に切り替える。以下では、地震用画面には、災害情報画面と、避難経路画面と、避難場所画面と、が含まれるものとする。
【００４０】
図６〜図８は、タッチパネル操作盤１に表示される地震用画面の一例を示す図である。図６は災害情報画面であり、図７は避難経路画面であり、図８は避難場所画面である。
【００４１】
図６の災害情報画面には、非常呼び釦１０５と、切り替え釦１０６と、災害情報１０７と、出入口情報１０８と、が表示されている。非常呼び釦１０５は、カゴ２の乗客が外部と連絡するための釦である。出入口情報１０８は、出入口が存在する階床を示す情報である。図６の例では、出入口は、１階に存在する。
【００４２】
また、図６の例では、災害情報画面から避難経路画面に切り替えるための切り替え釦１０６（避難経路表示）と、災害情報画面から避難場所画面に切り替えるための切り替え釦１０６（避難場所表示）と、がそれぞれ表示されている。カゴ２の乗客は、切り替え釦１０６に触れることにより、災害情報画面から経路避難画面又は避難場所画面に切り替えることができる。
【００４３】
災害情報１０７は、制御盤から通知された地震情報に基づいて表示される。図６の例では、災害情報１０７として、地震が発生したこと、発生した地震の震度、及び発生した地震の震源地が表示されている。地震の震度や震源地は、他の部分と色を変えて表示してもよい。これにより、視認性を高めることができる。
【００４４】
なお、災害情報画面には、上記の他にも、例えば、現在の位置（階床）、昇降方向、到着予定階、到着までの所要時間など、任意の情報を表示することができる。これは、避難経路画面及び避難場所画面についても同様である。
【００４５】
図７の避難経路画面には、切り替え釦１０６と、避難経路１０９と、が表示されている。
【００４６】
図７の例では、避難経路画面から災害情報画面に切り替えるための切り替え釦１０６（地震情報表示）と、避難経路画面から避難場所画面に切り替えるための切り替え釦１０６（避難場所表示）と、がそれぞれ表示されている。カゴ２の乗客は、切り替え釦１０６に触れることにより、避難経路画面から災害情報画面又は避難場所画面に切り替えることができる。
【００４７】
また、図７の例では、避難経路１０９は、地図及びテキストにより示されている。タッチパネル操作盤１は、予め記憶した避難経路を、避難経路１０９として表示すればよい。
【００４８】
避難経路１０９は、避難階の乗場から非常階段までの経路であってもよいし、避難階の乗場から建物の出口までの経路であってもよいし、避難階の乗場から避難場所までの経路であってもよい。また、避難経路画面には、これらの各避難経路１０９が切り替え可能に表示されてもよい。
【００４９】
また、避難経路画面に表示される避難経路１０９は、乗客の操作により、拡大及び縮小が可能であるのが好ましい。避難経路１０９の拡大及び縮小は、乗客による所定のジェスチャ（タップ、ダブルタップ、ピンチイン、及びピンチアウトなど）により行われてもよいし、避難経路１０９と共に表示された拡大釦及び縮小釦を乗客が触れることにより行われてもよい。避難経路１０９を拡大可能とすることにより、目の不自由な乗客でも避難経路１０９を容易に確認することができる。
【００５０】
また、図７の避難経路画面には、読み取ることにより避難経路１０９を表示可能な、二次元バーコードが表示されている。乗客は、自身の携帯端末でこの二次元バーコードを読み取ることにより、携帯端末上で避難経路１０９を確認しながら避難することができる。二次元バーコードとして、例えば、ＱＲコード（登録商標）を利用できる。
【００５１】
図８の避難場所画面には、切り替え釦１０６と、避難場所１１０と、が表示されている。
【００５２】
図８の例では、避難場所画面から災害情報画面に切り替えるための切り替え釦１０６（地震情報表示）と、避難場所画面から避難経路画面に切り替えるための切り替え釦１０６（避難経路表示）と、がそれぞれ表示されている。カゴ２の乗客は、切り替え釦１０６に触れることにより、避難経路画面から災害情報画面又は避難場所画面に切り替えることができる。
【００５３】
図８の例では、避難場所１１０は、地図及びテキストにより示されている。タッチパネル操作盤１は、予め記憶した避難場所を、避難場所１１０として表示すればよい。
【００５４】
また、避難場所画面に表示される避難場所１１０は、乗客の操作により、拡大及び縮小が可能であるのが好ましい。避難場所１１０の拡大及び縮小は、乗客による所定のジェスチャ（タップ、ダブルタップ、ピンチイン、及びピンチアウトなど）により行われてもよいし、避難場所１１０と共に表示された拡大釦及び縮小釦を乗客が触れることにより行われてもよい。避難場所１１０を拡大可能とすることにより、目の不自由な乗客でも避難場所１１０を容易に確認することができる。
【００５５】
また、図８の避難経路画面には、読み取ることにより避難場所１１０を表示可能な、二次元バーコードが表示されている。乗客は、自身の携帯端末でこの二次元バーコードを読み取ることにより、携帯端末上で避難場所１１０を確認しながら避難することができる。二次元バーコードとして、例えば、ＱＲコード（登録商標）を利用できる。
【００５６】
タッチパネル操作盤１は、操作画面から地震用画面（図６の災害情報画面、図７の避難経路画面、又は図８の避難場所画面）に切り替えた後、所定の時間間隔（例えば、１０秒間隔）で、災害情報画面、避難経路画面、及び避難場所画面の間で、画面を切り替える（ステップＳ５）。乗客が切り替え釦１０６に触れた場合には、タッチパネル操作盤１は、乗客の操作に従って、画面を切り替える。タッチパネル操作盤１は、通常運行が再開されるまで、地震用画面の表示を継続する。
【００５７】
地震の発生を通知されていない場合（ステップＳ３のＮＯ）、処理はステップＳ１に戻る。そして、タッチパネル操作盤１は、火災又は地震が発生するまで、操作画面の表示を継続する。
【００５８】
以上説明した通り、本実施形態に係るタッチパネル操作盤１は、災害が発生すると、画面が自動的に災害用画面に切り替わる。タッチパネル操作盤１は、災害用画面として、予め用意された複数の画面（災害情報画面、避難経路画面、及び避難場所画面など）を表示可能である。このため、本実施形態に係るタッチパネル操作盤１は、カゴ２の乗客に対して、災害や避難に関する十分な情報を提供し、乗客の円滑な避難を可能にすることができる。
【００５９】
また、タッチパネル操作盤１では、乗客による操作と、乗客への情報提供と、が１つの画面上で行われる。このため、乗客は、直感的な操作により、容易に所望の情報を得ることができる。
【００６０】
なお、以上の説明では、火災用画面には、避難場所画面が含まれなかったが、避難場所画面が含まれてもよい。また、火災用画面の避難経路画面に表示される避難経路と、地震用画面の避難経路画面に表示される避難経路と、は異なってもよい。
【００６１】
また、本実施形態に係るタッチパネル操作盤１は、乗場に設置された乗場操作盤に適用することも可能である。この場合、タッチパネル操作盤１の操作画面には、乗場呼び釦を表示すればよい。また、避難経路画面には、乗場からの避難経路を表示すればよい。これにより、タッチパネル操作盤１は、乗場にいるエレベータの利用者に対して、災害や避難に関する十分な情報を提供し、利用者の円滑な避難を可能にすることができる。
【００６２】
（第２実施形態）
第２実施形態に係るタッチパネル操作盤１について、図９〜図１２を参照して説明する。図９は、本実施形態に係るタッチパネル操作盤１の一例を示す図である。図９のタッチパネル操作盤１は、スピーカ１１を備える。他の構成は、第１実施形態と同様である。
【００６３】
スピーカ１１は、タッチパネル操作盤１の画面の切り替えやカゴ２の移動と連動して、カゴ２内の乗客に所定のタイミングで所定の情報をアナウンスする。図９の例では、スピーカ１１は、タッチパネル操作盤１と一体に構成されているが、タッチパネル操作盤１とは離間して設置されてもよい。また、スピーカ１１として、カゴ２に予め設置されたスピーカが利用されてもよい。以下、スピーカ１１によるアナウンスの例について、図１０〜図１２を参照して具体的に説明する。
【００６４】
図１０は、カゴ２の通常運行中に災害が発生した場合のタッチパネル操作盤１の動作を示すフローチャートである。図１０のステップＳ１〜Ｓ５は、図３と同様である。
【００６５】
図１０に示すように、火災が発生すると（ステップＳ１のＹＥＳ）、スピーカ１１は、火災の発生と、操作画面を火災用画面へ切り替えることとを、を乗客にアナウンスする（ステップＳ６）。スピーカ１１は、例えば、「火災が発生しました。火災情報と避難経路を表示します。」というアナウンスを行う。
【００６６】
次に、タッチパネル操作盤１は、操作画面を火災用画面に切り替える（ステップＳ２）。
【００６７】
続いて、スピーカ１１は、火災用画面の切り替えについて、乗客にアナウンスする（ステップＳ７）。具体的には、スピーカ１１は、火災用画面が所定の時間間隔で自動的に切り替わることと、火災用画面が切り替え釦により切り替え可能であることと、をアナウンスする。スピーカ１１は、例えば、「１０秒ごとに火災情報と避難経路が切り替わります。画面上の切り替え釦による切り替えも可能です」というアナウンスを行う。その後、処理はステップＳ５に進む。
【００６８】
一方、地震が発生すると（ステップＳ３のＹＥＳ）、スピーカ１１は、地震の発生と、操作画面を地震用画面へ切り替えることとを、を乗客にアナウンスする（ステップＳ８）。スピーカ１１は、例えば、「地震が発生しました。地震情報、避難経路、及び避難場所を表示します。」というアナウンスを行う。
【００６９】
次に、タッチパネル操作盤１は、操作画面を地震用画面に切り替える（ステップＳ４）。
【００７０】
続いて、スピーカ１１は、地震用画面の切り替えについて、乗客にアナウンスする（ステップＳ９）。具体的には、スピーカ１１は、地震用画面が所定の時間間隔で自動的に切り替わることと、地震用画面が切り替え釦により切り替え可能であることと、をアナウンスする。スピーカ１１は、例えば、「１０秒ごとに地震情報、避難経路、及び避難場所が切り替わります。画面上の切り替え釦による切り替えも可能です」というアナウンスを行う。その後、処理はステップＳ５に進む。
【００７１】
このように、操作画面を災害用画面に切り替えの前に、その旨を予めアナウンスすることにより、タッチパネル操作盤１から情報が提供されることを乗客に周知し、乗客への情報提供を円滑化することができる。
【００７２】
また、災害用画面が切り替え可能であることをアナウンスすることにより、タッチパネル操作盤１の操作方法を乗客に周知することができる。これにより、タッチパネル操作盤１の災害用画面の操作方法を知らない乗客であっても、災害用画面から容易に所望の情報を取得することができる。
【００７３】
図１１は、タッチパネル１が災害用画面を表示中のタッチパネル操作盤１の動作を示すフローチャートである。図１１の動作は、図１０のステップＳ５に相当する。まず、タッチパネル操作盤１が火災用画面を表示している場合について説明する。
【００７４】
上述の通り、タッチパネル操作盤１は、火災用画面が表示されると、所定の時間間隔で災害情報画面と、避難経路画面と、を切り替えながら交互に表示する。そして、避難経路画面が表示されると（ステップＳ１０のＹＥＳ）、図１１に示すように、スピーカ１１は、避難経路の拡大機能をアナウンスする（ステップＳ１１）。スピーカ１１は、例えば、「画面上の避難経路に触れると、避難経路を拡大できます」というアナウンスを行う。
【００７５】
その後、乗客が避難経路に触れると（ステップＳ１２のＹＥＳ）、タッチパネル操作盤１は、避難経路画面に表示された避難経路を拡大する（ステップＳ１３）。乗客が避難経路に触れなかった場合（ステップＳ１２のＮＯ）、避難経路は拡大されない。
【００７６】
タッチパネル操作盤１は、避難経路の拡大の有無に関わらず、避難経路画面の表示を継続する。そして、タッチパネル操作盤１は、所定時間が経過する、又は乗客により切り替え釦を触れられると、避難経路画面を災害情報画面に切り替える（ステップＳ１４）。その後、処理はステップＳ１０に戻る。
【００７７】
一方、災害情報画面が表示された場合（ステップＳ１０のＮＯ）、タッチパネル操作盤１は、災害情報画面の表示を継続する。そして、タッチパネル操作盤１は、所定時間が経過する、又は乗客により切り替え釦を触れられると、災害情報画面を避難経路画面に切り替える（ステップＳ１４）。その後、処理はステップＳ１０に戻る。
【００７８】
次に、タッチパネル操作盤１が地震用画面を表示している場合について説明する。
【００７９】
上述の通り、タッチパネル操作盤１は、地震用画面が表示されると、所定の時間間隔で災害情報画面と、避難経路画面と、避難場所画面と、を切り替えながら交互に表示する。そして、避難経路画面が表示されると（ステップＳ１０のＹＥＳ）、図１１に示すように、スピーカ１１は、避難経路の拡大機能をアナウンスする（ステップＳ１１）。スピーカ１１は、例えば、「画面上の避難経路に触れると、避難経路を拡大できます」というアナウンスを行う。
【００８０】
その後、乗客が避難経路に触れると（ステップＳ１２のＹＥＳ）、タッチパネル操作盤１は、避難経路画面に表示された避難経路を拡大する（ステップＳ１３）。乗客が避難経路に触れなかった場合（ステップＳ１２のＮＯ）、避難経路は拡大されない。
【００８１】
タッチパネル操作盤１は、避難経路の拡大の有無に関わらず、避難経路画面の表示を継続する。そして、タッチパネル操作盤１は、所定時間が経過する、又は乗客により切り替え釦を触れられると、避難経路画面を他の画面（災害情報画面又は避難場所画面）に切り替える（ステップＳ１４）。その後、処理はステップＳ１０に戻る。
【００８２】
一方、避難経路画面以外の画面（災害情報画面又は避難場所画面）が表示された場合（ステップＳ１０のＮＯ）、タッチパネル操作盤１は、表示中の画面（災害情報画面又は避難場所画面）の表示を継続する。そして、タッチパネル操作盤１は、所定時間が経過する、又は乗客により切り替え釦を触れられると、表示中の画面を、他の画面に切り替える（ステップＳ１４）。その後、処理はステップＳ１０に戻る。
【００８３】
なお、上記の地震用画面のように、災害用画面に避難場所画面が含まれる場合には、スピーカ１１は、避難場所画面が表示された際に、避難場所を拡大可能であることをアナウンスしてもよい。スピーカ１１は、例えば、「画面上の避難場所に触れると、避難場所を拡大できます」というアナウンスを行う。
【００８４】
このように、スピーカ１１が避難経路や避難場所の拡大機能を乗客にアナウンスすることにより、乗客は、タッチパネル操作盤１を容易に操作することができる。
【００８５】
また、避難経路の拡大機能は、避難経路画面が表示される度にアナウンスされてもよいし、避難経路画面が１回目に表示されたときにのみアナウンスされてもよい。避難場所の拡大機能についても同様である。
【００８６】
図１２は、カゴ２の通常運行中に災害が発生した場合のタッチパネル操作盤１の動作を示すフローチャートである。
【００８７】
通常運行中に災害（火災や地震など）が発生すると（ステップＳ１５のＹＥＳ）、上述の通り、タッチパネル操作盤１は、図１０で説明した動作を行い、災害用画面を表示する。これと並行して、カゴ２は、避難階への移動を開始する。その後、避難階に到着すると、カゴ２は、避難階で戸開した状態で待機する（ステップＳ１６）。
【００８８】
カゴ２が避難階に到着すると、スピーカ１１は、乗客に避難時の注意事項をアナウンスする。火災が発生した場合、スピーカ１１は、例えば、「煙が発生している恐れがあります。頭を低くして避難してください。」というアナウンスを行う。地震が発生した場合、スピーカ１１は、例えば、「避難する際は、窓のそばや倒壊する恐れのあるものの近くは避けて下さい。」というアナウンスを行う。
【００８９】
このように、スピーカ１１によって乗客に避難時の注意事項をアナウンスすることにより、タッチパネル操作盤１は、乗客の安全な避難を支援することができる。
【００９０】
以上説明した通り、本実施形態に係るタッチパネル操作盤１は、スピーカ１１によって、画面の切り替えやカゴ２の移動と連動して、カゴ２内の乗客に所定のタイミングで所定の情報をアナウンスする。これにより、情報を効率的に乗客に提供したり、乗客の安全な避難を支援したりすることができる。
【００９１】
なお、本実施形態に係るタッチパネル操作盤１は、乗場に設置された乗場操作盤に適用することも可能である。この場合、タッチパネル操作盤１のスピーカ１１は、乗場にいる利用者に対して、所定のタイミングで所定の情報をアナウンスすればよい。アナウンスのタイミング及び内容は上述の通りである。これにより、タッチパネル操作盤１は、乗場にいるエレベータの利用者に対して、情報を効率的に利用者に提供したり、利用者の安全な避難を支援したりすることができる。
【００９２】
（第３実施形態）
第３実施形態に係るタッチパネル操作盤１について、図１３及び図１４を参照して説明する。本実施形態に係るタッチパネル操作盤１は、カゴ２内に設置されるカゴ操作盤である。このタッチパネル操作盤１は、乗客の閉じ込めが発生した場合、問診票画面を表示する。
【００９３】
問診票画面とは、カゴ２内に閉じ込められた乗客から、その乗客の健康状態に関する情報を取得するための画面である。問診票画面は、閉じ込めの発生時に表示される。問診票画面には、乗客の健康状態を問診するための問診票が表示される。
【００９４】
図１３は、問診票画面の一例を示す図である。図１３の問診票画面には、問診票１１１と、送信釦１１２と、が表示されている。
【００９５】
問診票１１１には、質問１１３と、回答釦１１４と、が含まれる。
【００９６】
質問１１３は、例えば、乗客の健康状態に関する質問である。このような質問１１３として、乗客の年齢、性別、現在の体調、及び持病の有無などを問うものが考えられる。また、質問１１３には、カゴ２内の状態に関する質問が含まれてもよい。このような質問１１３として、乗客の人数を問うものが考えられる。
【００９７】
なお、図１３の例では、問診票１１１には、２つの質問１１３が含まれるが、問診票１１１に含まれる質問１１３は、１つであってもよいし、３つ以上であってもよい。また、図１３の例では、質問１１３がクローズドクエスチョンである場合を想定しているが、質問１１３は、オープンクエスチョンであってもよい。
【００９８】
回答釦１１４は、乗客が質問１１３に対する回答を入力するための釦である。乗客は、各質問１１３に対応する回答釦１１４に触れることにより、回答を入力する。図１３の例では、質問１１３はクローズドクエスチョンであるため、各質問１１３に対して、回答の選択肢に応じた複数の回答釦１１４（Ａ，Ｂ）が表示されている。
【００９９】
なお、図１３の例では、回答釦１１４は、各質問１１３に対してそれぞれ設けられているが、複数の質問１１３に対して１つの回答釦１１４が設けられてもよい。また、質問１１３がオープンクエスチョンである場合には、回答釦１１４として、タッチキーボードが表示されてもよい。
【０１００】
送信釦１１２は、乗客が回答した問診結果を、外部の所定の送信先に送信するための釦である。送信先は、任意に設定可能であり、例えば、エレベータの中央管理センタである。乗客が送信釦１１２に触れることにより、問診結果が送信先に送信される。
【０１０１】
なお、問診票１１１には、非常呼び釦１０５や、乗客により入力された各質問に対する回答が表示されてもよい。また、問診票１１１は、複数の画面に跨がって表示されてもよい。
【０１０２】
図１４は、通常運行中にカゴ２が非常停止した場合のタッチパネル操作盤１の動作を示すフローチャートである。
【０１０３】
図１４に示すように、カゴ２は、非常停止しない限り（ステップＳ１８のＮＯ）、通常運行を継続する（ステップＳ１９）。
【０１０４】
一方、何らかの理由により、カゴ２が非常停止した場合（ステップＳ１８のＹＥＳ）、カゴ２の安全装置が正常か否か確認される（ステップＳ２０）。
【０１０５】
安全装置が正常な場合（ステップＳ２０のＹＥＳ）、カゴ２は運行を再開し（ステップＳ２１）、以降、通常運行を継続する（ステップＳ１９）。一方、安全装置が正常でなかった場合（ステップＳ２０のＮＯ）、カゴ２は運行を再開せず、その場で戸閉した状態で待機する（ステップＳ２２）。
【０１０６】
以上のステップＳ１８〜Ｓ２２の処理は、制御盤により行われてもよいし、カゴ２の個別の制御装置により行われてもよい。
【０１０７】
タッチパネル操作盤１は、カゴ２の戸閉待機中に、非常呼び釦１０５を触れられた場合（ステップＳ２３のＹＥＳ）、乗客の閉じ込めが発生したと判断し、問診票画面を表示する（ステップＳ２４）。この際、タッチパネル操作盤１は、スピーカ１１により、問診票画面の操作方法をアナウンスしてもよい。また、問診票画面に、問診票画面の操作方法が表示されてもよい。
【０１０８】
その後、乗客が問診票の質問に回答し、送信釦に触れると、タッチパネル操作盤１は、問診結果を、所定の送信先に送信する（ステップＳ２５）。
【０１０９】
以上説明した通り、本実施形態に係るタッチパネル操作盤１は、乗客の閉じ込めが発生すると、乗客の健康状態を把握するための問診票を表示し、問診結果を所定の送信先に送信する。これにより、外部の管理者（例えば、中央管理センサのオペレータ）は、閉じ込められた乗客の健康状態を容易に把握し、乗客の救助に役立てることができる。
【０１１０】
なお、本発明は上記各実施形態そのままに限定されるものではなく、実施段階ではその要旨を逸脱しない範囲で構成要素を変形して具体化できる。また、上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【符号の説明】
【０１１１】
１：タッチパネル操作盤、２：カゴ、１１：スピーカ、１０１：戸開釦、１０２：戸閉釦、１０３：行先階釦、１０４：フロア情報、１０５：非常呼び釦、１０６：切り替え釦、１０７：災害情報、１０８：出入口情報、１０９：避難経路、１１０：避難場所、１１１：問診票、１１２：送信釦、１１３：質問、１１４：回答釦
【図１】
2017109830.tif 000003
【図２】
2017109830.tif 000004
【図３】
2017109830.tif 000005
【図４】
2017109830.tif 000006
【図５】
2017109830.tif 000007
【図６】
2017109830.tif 000008
【図７】
2017109830.tif 000009
【図８】
2017109830.tif 000010
【図９】
2017109830.tif 000011
【図１０】
2017109830.tif 000012
【図１１】
2017109830.tif 000013
【図１２】
2017109830.tif 000014
【図１３】
2017109830.tif 000015
【図１４】
2017109830.tif 000016
【手続補正書】
【提出日】平成28年12月1日(2016.12.1)
【手続補正１】
【補正対象書類名】明細書
【補正対象項目名】００８８
【補正方法】変更
【補正の内容】
【００８８】
カゴ２が避難階に到着すると、スピーカ１１は、乗客に避難時の注意事項をアナウンスする（ステップＳ１７）。火災が発生した場合、スピーカ１１は、例えば、「煙が発生している恐れがあります。頭を低くして避難してください。」というアナウンスを行う。地震が発生した場合、スピーカ１１は、例えば、「避難する際は、窓のそばや倒壊する恐れのあるものの近くは避けて下さい。」というアナウンスを行う。
【手続補正２】
【補正対象書類名】特許請求の範囲
【補正対象項目名】全文
【補正方法】変更
【補正の内容】
【特許請求の範囲】
【請求項１】
エレベータのカゴを操作するタッチパネル操作盤であって、
表示可能な画面として、通常運行時に表示される操作画面と、災害発生時に表示される災害用画面と、を有し、
災害が発生すると、前記操作画面から前記災害用画面に自動的に切り替わり、
前記災害用画面には、災害情報を表示する災害情報画面と、避難経路を表示する避難経路画面と、避難場所を表示する避難場所画面と、が含まれる
タッチパネル操作盤。
【請求項２】
建物の火災検知システムと連動する
請求項１に記載のタッチパネル操作盤。
【請求項３】
画面の切り替え、画面の操作方法、及び避難時の注意事項の少なくとも１つをアナウンスするスピーカを備える
請求項１又は請求項２に記載のタッチパネル操作盤。
【請求項４】
前記カゴ内に設置され、
表示可能な画面として、乗客の閉じ込めの発生時に表示され、問診票を表示する問診票画面を有する
請求項１乃至請求項３のいずれか１項に記載のタッチパネル操作盤。